(57)【要約】【課題】  トラブル発生時の情報収集に関して、人の介入による情報収集の手間を最小限に抑え、高速，高精度の情報収集を可能とするプラント情報収集システムを実現する。【解決手段】  プラントの監視対象の内、トラブルが発生した監視対象につきデータベースを検索して関連情報を収集するプラント情報収集システムにおいて、  前記監視対象に取り付けられた、無線通信機能を有するＩＣタグと、  トラブルが発生した監視対象に取り付けられた前記ＩＣタグと無線通信し、保持情報の読み出しまたは書き込みの少なくともいずれかを行なうＩＣタグリーダと、  ネットワークに設けた無線アクセスポイントを介して前記ＩＣタグリーダと通信し、このＩＣタグリーダが取得した情報に基づく検索ロジックによりデータベースを検索し、関連情報を収集する情報処理装置と、を備える。【選択図】                    図１
2007323163.tif 000002
【特許請求の範囲】
【請求項１】
プラントの監視対象の内、トラブルが発生した監視対象につきデータベースを検索して関連情報を収集するプラント情報収集システムにおいて、
前記監視対象に取り付けられた、無線通信機能を有するＩＣタグと、
トラブルが発生した監視対象に取り付けられた前記ＩＣタグと無線通信し、保持情報の読み出しまたは書き込みの少なくともいずれかを行なうＩＣタグリーダと、
ネットワークに設けた無線アクセスポイントを介して前記ＩＣタグリーダと通信し、このＩＣタグリーダが取得した情報に基づく検索ロジックによりデータベースを検索し、関連情報を収集する情報処理装置と、
を備えることを特徴とするプラント情報収集システム。
【請求項２】
前記監視対象は、ネットワークに接続されていない機器または遠隔地からの参照ができない監視箇所の少なくともいずれかであることを特徴とする請求項１に記載のプラント情報収集システム。
【請求項３】
前記情報処理装置は、前記監視対象の、
購入履歴を保存するデータベース、
運転履歴を保存するデータベース、
保守履歴を保存するデータベース、
設置場所の情報を保存するデータベース、
の少なくともいずれかにアクセスして関連情報を検索することを特徴とする請求項１または２に記載のプラント情報収集システム。
【請求項４】
前記情報処理装置は、前記データベースの検索において、すべてを包含する条件から一部の条件を取り除いて検索条件を緩め、複数の検索結果がヒットするように前記検索ロジックを作成することを特徴とする請求項１乃至３のいずれかに記載のプラント情報収集システム。
【請求項５】
前記ＩＣタグリーダは、トラブルが発生した監視対象への対策終了後に、当該監視対象に取り付けられたＩＣタグに保守情報を書き込むことを特徴とする請求項１乃至４のいずれかに記載のプラント情報収集システム。
【請求項６】
前記情報処理装置は、トラブルが発生した監視対象への対策終了後に、前記保守履歴を保存するデータベースに保守情報を書き込み、更新することを特徴とする請求項１乃至５のいずれかに記載のプラント情報収集システム。
【請求項７】
前記情報処理装置は、分散型制御システムに接続されてプラント運転を支援する、プラント運転支援装置が管理するデータベースにアクセスして関連情報を検索することを特徴とする請求項１乃至６のいずれかに記載のプラント情報収集システム。
【請求項８】
前記情報処理装置は、前記検索ロジックによる監視対象のデータベースの検索結果に基づいて、前記監視対象に取り付けるＩＣタグに初期情報を書き込むことを特徴とする請求項１乃至７のいずれかに記載のプラント情報収集システム。
【発明の詳細な説明】
【技術分野】
【０００１】
本発明は、プラントの監視対象の内、トラブルが発生した監視対象につきデータベースを検索して関連情報を収集するプラント情報収集システムに関するものである。
【背景技術】
【０００２】
近年、プラントのポンプやバルブ等の機器はネットワークに繋がり、通信により中央計器室から稼動状態を把握できるようになった。しかし、未だにネットワークに繋がっていないプラント機器や現場ポイントも多く存在し、現場作業員の保守作業も大きな役割を担うと同時に、その負担も小さくはない。
【０００３】
現場でトラブルを発見した場合に、原因追究に必要な情報を瞬時に収集することは難しい。それは多くの場合、トラブルに関わる機器や現場の情報が様々な管理部署、場所、データベース等に点在しているからである。このため、情報収集多くの時間と工数、が掛かることもしばしばである。
【０００４】
従来の対応手順は、現場にてトラブルが発生した場合、現場作業員が内線などの音声通話を使ってリーダーに状況を報告する。リーダーは情報収集のために必要部署に連絡をとり、各担当者はデータベース等を参照して必要な情報を引き出してリーダーを中心に対策を検討する。トラブル処置後は報告書を作成し、今後のトラブル発生に備える。
【０００５】
図４は、トラブル発生に対する従来の対応手順を示すフローチャートである。ステップＳ１でプラントの監視対象（機器や特定に監視箇所）にトラブルが発生し、ステップＳ２で現場作業員がトラブルを発見した場合、現場作業員は主に内線などの音声通話を使ってリーダーに報告する。
【０００６】
ステップＳ３で、リーダーは現場作業員と音声でのやり取りを繰り返しながらトラブルの詳細を把握する。次に、リーダーはトラブルの詳細状況からトラブルの原因に関係していると思われる内容を洗い出し、原因調査のために情報を保持している各部署の担当者に情報提供依頼を出す。
【０００７】
情報提供依頼を受けた各部署の担当者は、データベースや運転手順書、過去のトラブル報告書等を参照して、必要な情報をリーダーに提供する。情報収集に関しては、各部署の担当者が手作業で情報を取得している場合が多い。
【０００８】
ステップＳ４では、集められた情報を元に、リーダーを中心に関係者が知恵を出し合って原因調査を行い、ステップＳ５での対策検討を経てステップＳ６でトラブル処置をする。トラブル処置後は、レポートを作成して今後のトラブル発生時への対策を講じると共に、他に同一トラブルが発生する可能性がないか等、チェックの水平展開を実施する。更に、保守履歴を管理するデータベースがあれば、その内容を更新する。
【０００９】
【特許文献１】特開２００４−１６４１５０号公報
【発明の開示】
【発明が解決しようとする課題】
【００１０】
従来のトラブル対応の手順では、関連情報収集を行う場合に次のような問題がある。
（１）トラブルが発生した監視対象の購入履歴、運転履歴、保守履歴、設置場所を示した設計図等、夫々異なるデータベースで異なる部署の異なる担当者が情報を管理している場合が多い。従って、これら異なるデータベースを異なる人が検索した場合、末端まで指示が届くのに時間がかかる。更に、複数の人が介した結果、正しい情報がリーダーに届かないおそれもある。
【００１１】
（２）情報を正しく入手したとしても、そこに至るまでに多くの工数と時間がかかってしまい、効率的ではない。複数のデータベースから、トラブル解決に必要な装置、現場の情報を瞬時に探し出すことは難しく、多くの人、時間、コストが必要になる。
【００１２】
（３）トラブル調査に必要な情報収集に時間がかかった結果、肝心なトラブルの原因調査と対応策検討に十分な時間を割くことができない事態も想定できる。
【００１３】
本発明は上述した問題点を解決するためになされたものであり、トラブル発生時の情報収集に関して、人の介入による情報収集の手間を最小限に抑え、高速，高精度の情報収集を可能とするプラント情報収集システムの実現を目的としている。
【課題を解決するための手段】
【００１４】
このような課題を達成するために、本発明は次の通りの構成になっている。
（１）プラントの監視対象の内、トラブルが発生した監視対象につきデータベースを検索して関連情報を収集するプラント情報収集システムにおいて、
前記監視対象に取り付けられた、無線通信機能を有するＩＣタグと、
トラブルが発生した監視対象に取り付けられた前記ＩＣタグと無線通信し、保持情報の読み出しまたは書き込みの少なくともいずれかを行なうＩＣタグリーダと、
ネットワークに設けた無線アクセスポイントを介して前記ＩＣタグリーダと通信し、このＩＣタグリーダが取得した情報に基づく検索ロジックによりデータベースを検索し、関連情報を収集する情報処理装置と、
を備えることを特徴とするプラント情報収集システム。
【００１５】
（２）前記監視対象は、ネットワークに接続されていない機器または遠隔地からの参照ができない監視箇所の少なくともいずれかであることを特徴とする（１）に記載のプラント情報収集システム。
【００１６】
（３）前記情報処理装置は、前記監視対象の、
購入履歴を保存するデータベース、
運転履歴を保存するデータベース、
保守履歴を保存するデータベース、
設置場所の情報を保存するデータベース、
の少なくともいずれかにアクセスして関連情報を検索することを特徴とする（１）または（２）に記載のプラント情報収集システム。
【００１７】
（４）前記情報処理装置は、前記データベースの検索において、すべてを包含する条件から一部の条件を取り除いて検索条件を緩め、複数の検索結果がヒットするように前記検索ロジックを作成することを特徴とする（１）乃至（３）のいずれかに記載のプラント情報収集システム。
【００１８】
（５）前記ＩＣタグリーダは、トラブルが発生した監視対象への対策終了後に、当該監視対象に取り付けられたＩＣタグに保守情報を書き込むことを特徴とする（１）乃至（４）のいずれかに記載のプラント情報収集システム。
【００１９】
（６）前記情報処理装置は、トラブルが発生した監視対象への対策終了後に、前記保守履歴を保存するデータベースに保守情報を書き込み、更新することを特徴とする（１）乃至（５）のいずれかに記載のプラント情報収集システム。
【００２０】
（７）前記情報処理装置は、分散型制御システムに接続されてプラント運転を支援する、プラント運転支援装置が管理するデータベースにアクセスして関連情報を検索することを特徴とする（１）乃至（６）のいずれかに記載のプラント情報収集システム。
【００２１】
（８）前記情報処理装置は、前記検索ロジックによる監視対象のデータベースの検索結果に基づいて、前記監視対象に取り付けるＩＣタグに初期情報を書き込むことを特徴とする（１）乃至（７）のいずれかに記載のプラント情報収集システム。
【発明の効果】
【００２２】
以上説明したことから明らかなように、本発明によれば次のような効果がある。
（１）トラブル原因調査のための情報収集にＩＣタグを利用することで、人を介入することなく正確な情報が情報処理装置に伝達される。
【００２３】
（２）情報処理装置は、点在するデータベースを横断検索することで、従来人が手動で行っていた情報収集工程のうち、ルーチーンワーク的な検索（情報収集の全てが自動化されるわけではない）に関して、コンピュータにて自動で検索結果を出すことが可能になった。これにより、情報収集に必要な人の介入作業を最小限に抑え、人はトラブルの原因調査、対応策検討により多くの時間を割くことができる。
【００２４】
（３）ＩＣタグは情報を書き換えることが可能なため、トラブル処置後はトラブル対応履歴としてＩＣタグの情報を更新することで、ＩＣタグ内の情報は常に最新に保たれる。また、ＩＣタグ導入時は、書き込み情報が少なかったとしても、運用していく段階で、その都度書き換えを行うことにより、簡単に情報を追加できる。これにより、ＩＣタグにプラント機器や現場ポイントの付箋の役目を担わせることができる。
【００２５】
（４）点在するデータベースを横断検索する環境として、既存のプラント運転支援装置をそのまま利用することができる。従って、新規に既存のデータベースを統括するデータベースサーバを構築する等の大掛かりなシステム構築は必要ない。
【発明を実施するための最良の形態】
【００２６】
以下、本発明を図面により詳細に説明する。図１は、本発明を適用したプラント情報収集システムの一実施形態を示す機能ブロック図である。プラント１００においては、ネットワークに繋がっていない監視対象機器１０１，１０２，…１０ｎが存在する。図示されていないが、監視対象はこれら機器の他、特定の監視箇所が含まれる。
【００２７】
これら機器１０１，１０２，…１０ｎには、無線通信機能を有するＩＣタグ２０１，２０２，…２０ｎが取り付けられている。ＩＣタグとしては、ＵＨＦ帯の電波で３ｍの距離から読み書き可能な世界標準規格（ＩＳＯ）の市製品を採用することができる。
【００２８】
ＩＣタグリーダ３０１、３０２は、現場作業員４００が携帯しており、ＩＣタグ２０１，２０２，…２０ｎと通信し、保持情報の読み出し及び書き込みを行なう。現場作業員４００は、トラブルが発生した機器に取り付けられたＩＣタグの情報を、携帯しているＩＣタグリーダで読み出す。
【００２９】
ＩＣタグリーダ３０１、３０２は、構内ネットワーク５００の適当箇所に形成された無線アクセスポイント５０１、５０２と無線通信し、ＩＣタグから読み出した情報を、構内ネットワーク５００に接続されたパソコンで実現される情報処理装置６００に転送する。
【００３０】
情報処理装置６００は、構内ネットワーク５００に対する通信インターフェース６０１、ＩＣタグ読み込み処理手段６０２、検索条件作成手段６０３、データベース検索手段６０４、検索結果表示手段６０５を備える。
【００３１】
ＩＣタグ読み込み処理手段６０２は、構内ネットワーク５００を介して転送されたＩＣタグ情報を受信し、受信したＩＣタグ情報を解読する機能を持つ。検索条件作成手段６０３は、ＩＣタグ情報に基づいてデータベースでの検索条件を決めるロジックを生成する。
【００３２】
データベース検索手段６０４は、様々なデータベースを横断検索する仕組み備え、例えば汎用通信バス７００を介して通信可能なプラント運転支援装置８００が管理する各種のデータベースにアクセスして検索できる。プラント運転支援装置については、特許文献１に詳細が開示されている。
【００３３】
プラント運転支援装置８００は、分散型制御システム９００の上位装置として接続され、各種の履歴データベースの情報を元にアラーム対応操作における熟練オペレータの技術やノウハウをコンピュータに置き換え、運転効率の改善及びオペレータの負荷軽減に貢献する。プラント運転支援装置はパソコンに運転効率向上支援パッケージをインストールすることでシステムを構築できる。
【００３４】
検索結果表示手段６０５で表示される情報に基づくトラブルの原因調査、対策検討、トラブル処理は、従来の処理手順の処理ステップと同一である。最終の報告書作成ステップでは、ＩＣタグへの保守情報の書き込みが従来手順に追加される。
【００３５】
図２は、トラブル発生に対する本発明の対応手順を示すフローチャートである。図４で説明した従来手順との相違は、トラブルの発見・報告のステップＳ２´、情報収集のステップＳ３´及び報告書作成のステップＳ７´である。
【００３６】
トラブルの発見・報告のステップＳ２´では、ＩＣタグリーダ３００によるＩＣタグ２００からの読み出し及び情報処理装置６００への報告が、従来システムの現場作業員からの音声連絡ではなく、無線及びネットワークによる通信で実行される点が相違する。
【００３７】
情報収集のステップＳ３´では、情報処理装置６００の検索ロジック機能により、プラント運転支援装置８００が管理するデータベースを横断的に検索して必要な情報を自動的に収集する点が、従来システムのリーダーによる担当者からの情報収集の形態とは相違する。
【００３８】
報告書作成ステップＳ７´では、トラブル処置後、報告書の作成と共にトラブル対象機器のＩＣタグに対し、今回のトラブル処置履歴を書き込む機能を持つ点が従来システムと相違する。
【００３９】
ＩＣタグの情報を書き換えて保持情報を更新することで、次回のトラブル発生時には、より確度の高い情報収集に役立つ。ＩＣタグに書き込む情報は、始めは必要最小限でよく、情報の追加が必要となった都度、ＩＣタグに書き込むことで簡単に情報を追加できる。
【００４０】
このようなデータの追加は、データベースを構築する場合のように、保持する情報のフォーマットをあらかじめ設計したり、列情報等のメタデータをＩＣタグに持ったりする必要はない。
【００４１】
図３は、トラブル対象機器に関して複数の観点からの情報をＡＮＤ条件で絞った連関図である。全ての条件を満足する中心部のハッチング領域の情報が、トラブル対象機器に取り付けられたＩＣタグに書き込まれて保持されている。
【００４２】
この保持情報に基づいて複数の観点のデータを保持している購入履歴データベース８０１、運転履歴データベース８０２、保守履歴データベース８０３、設置場所の設計図データベース８０４を検索できるので、対象物体の全情報を得るために装置番号などの紐付け情報から点在した複数のデータベースを逐次参照したデータベースを新たに構築する必要はない。
【００４３】
情報処理装置６００の検索条件作成手段６０３で作成される検索ロジックの概念は、全てを包含する条件（＝全検索条件のＡＮＤ判定、図４の連関図の中心部分）から一部の条件を取り除いて、検索条件を一部緩くすることで、複数の検索結果がヒットするようにできる。
【００４４】
これにより、例えば同じ製品型名で同一時期にメンテナンスした機器リスト等、様々な角度から検索結果を表示させることができる。人は、これらの様々な角度からの検索結果を見て、トラブルの原因を調査する。
【００４５】
ポンプＡが現場でトラブルを起こした場合を想定し、ＩＣタグ情報からデータベース検索条件を導く検索ロジックは以下のように作成される。
（１）ＩＣタグより対象製品型名を特定し、購入履歴より同一製品型名リストを取得。
（２）ＩＣタグより設置場所を特定し、設計図より同一設置場所の装置リストを取得。
（３）ＩＣタグより流れる流体を特定し、運転履歴より同一流体が流れる装置リストを取得。
（４）ＩＣタグより前回のメンテナンス時期、内容を特定し、保守履歴より同一時期にメンテナンスを行った装置リストを取得。
（５）情報処理装置は、例えば同一型名で前回同時期にメンテナンスを行った装置リストを表示する。これにより、他に同一トラブルを引き起こす可能性のある機器の推測ができる。
【００４６】
本発明を実施するためにＩＣタグの導入を決めた場合、当初は機器のどこにＩＣタグを取り付け、どんな内容をＩＣタグに書き込むか設計に戸惑う可能性が考えられる。ＩＣタグの取り付け箇所に関しては、現在は安価に大量に入手することが可能なため、例え少量で導入を開始したとしても、その後必要に応じてＩＣタグを取り付けていくだけで対応箇所を増加させることができる。
【００４７】
また、ＩＣタグには電池等のエネルギー供給部分がなく、非接触で小型、耐久性に優れているため、現場のいたるところに取り付けることが可能で、人の手が届きにくい離れた場所でもデータの読み書きを行うことができる。更に、電池交換等の定期メンテナンスも必要ない。
【００４８】
ＩＣタグに書き込む内容に関しては、運用開始時は情報が少なかったとしても、容易に書き換えることが可能なため、運用中に内容を追記すればよい。データベースのように導入時に（将来の機能拡張を見越した）フィールドサイズやメタデータに関する設計を行う必要はない。
【００４９】
以上説明した実施形態では、既にＩＣタグが取り付けられている機器がトラブルを発生した場合の関連情報収集システムを説明したが、情報処理装置６００には、検索ロジックを逆に利用することで、ＩＣタグの運用準備段階でＩＣタグに書き込む初期情報の自動策定する機能を備えることができる。
【００５０】
例えば、ポンプＡにＩＣタグを取り付ける場合を想定する。
（１）購入履歴のデータベースを参照する。これにより、購入時期、メーカ、型番号、スペック、価格等がわかる。
（２）運転履歴のデータベースを参照する。これにより、流す原料、流量、運転頻度等がわかる。
（３）保守履歴のデータベースを参照する。これにより、過去のメンテナンス時期、メンテナンス者、内容等がわかる。
（４）設計図のデータベースを参照する。これにより、ポンプＡの取り付け箇所の場所情報がわかる。
これらの情報を各データベースから自動取得して、ＩＣタグリーダに転送して現場作業員が各ＩＣタグに対して、初期情報の書き込み処理を行えばよい。
【図面の簡単な説明】
【００５１】
【図１】本発明を適用したプラント情報収集システムの一実施形態を示す機能ブロック図である。
【図２】トラブル発生に対する本発明の対応手順を示すフローチャートである。
【図３】トラブル対象機器に関して複数の観点からの情報をＡＮＤ条件で絞った連関図である。
【図４】トラブル発生に対する従来の対応手順を示すフローチャートである。
【符号の説明】
【００５２】
１００  プラント
１０１，１０２，…１０ｎ  機器
２０１，２０２，…２０ｎ  ＩＣタグ
３０１，３０２  ＩＣタグリーダ
４００  現場作業員
５００  構内ネットワーク
５０１，５０２  無線アクセスポイント
６００  情報処理装置
６０１  通信インターフェース
６０２  ＩＣタグ読み込み処理手段
６０３  検索条件作成手段
６０４  データベース検索手段
６０５  検索結果表示手段
７００  汎用通信バス
８００  プラント運転支援装置
８０１  購入履歴データベース
８０２  運転履歴データベース
８０３  保守履歴データベース
８０４  設置場所の設計図データベース
９００  分散型制御システム
【図１】
2007323163.tif 000003
【図２】
2007323163.tif 000004
【図３】
2007323163.tif 000005
【図４】
2007323163.tif 000006